(57)【要約】【課題】蛍光ランプを容易に増設することができ、かつ、器具全体の薄型化を図ることができる照明器具を提供する。【解決手段】被取付面１１に対向する主本体部２０の取付面２０１には、雄型接続端子２３１が設けられており、主本体部２０は雄型接続端子２３１が係合する被取付面１１に取り付けられる。主本体部２０の取付面２０１とは反対側の反対側面２０２には保持手段２２が設けられており、この保持手段２２により保持される蛍光ランプ２１は、主本体部２０に内蔵される点灯回路２４により点灯される。主本体部２０は、点灯回路２４を駆動する電源を外部に接続可能な端子部２７５を有しており、端子部２７５に接続することにより、主本体部２０を介して電源に接続可能となっている。そして、主本体部２０の側面２０３には係止部２７が設けられているので、照明器具１０の薄型の状態を維持しつつ、主本体部２０の側面２０３、すなわち外側に副本体部３０を増設することが可能になっている。【選択図】図１
2010140659.tif 000002
【特許請求の範囲】
【請求項１】
蛍光ランプと、
前記蛍光ランプを点灯させる点灯回路と、
前記点灯回路を内蔵するとともに、被取付面に対向する取付面の反対側面に設けられて前記蛍光ランプを保持する保持手段と、前記取付面に設けられ雄型接続端子を有する口金部と、前記点灯回路を駆動する電源を外部に接続可能な端子部とを有する主本体部と、を有し、
前記主本体部の側面に係止部を設けたことを特徴とする照明器具。
【請求項２】
前記主本体部が、前記点灯回路の出力を制御可能なリモコン制御部および外部からのリモコン信号を受信するリモコン受信部を内蔵し、
前記端子部が、前記リモコン信号を外部に送信可能であることを特徴とする請求項１記載の照明器具。
【請求項３】
前記端子部が前記係止部に設けられていることを特徴とする請求項１または請求項２記載の照明器具。
【請求項４】
前記主本体部に外嵌される副本体部を有し、
前記副本体部が、前記主本体部の前記係止部により前記主本体部と接続される被係止部と、前記副本体部における前記被取付面に対向する副取付面の反対側面に設けられて増設蛍光ランプを保持する副保持手段と、前記増設蛍光ランプを点灯させる副点灯回路と、を有することを特徴とする請求項１ないし請求項３のいずれかに記載の照明器具。
【請求項５】
前記副本体部の内径は、前記増設蛍光ランプの内径より小さいかまたは同一であり、かつ、前記主本体部の外径よりも大きく、
前記副本体部の外径は、前記増設蛍光ランプの外径よりも大きいかまたは同一であることを特徴とする請求項４に記載の照明器具。
【請求項６】
前記副本体部は、内周面に前記被係止部を有するとともに外周面に前記係止部を有することを特徴とする請求項４または請求項５に記載の照明器具。
【発明の詳細な説明】
【技術分野】
【０００１】
本発明は、蛍光ランプを増設できる照明器具に関するものである。
【背景技術】
【０００２】
従来より、蛍光ランプを増設できる照明器具が提案されている（例えば特許文献１参照）。
【０００３】
図１６に示すように、特許文献１に記載の照明器具１００は、環形の蛍光ランプ１０１の中央に、蛍光ランプ１０１を点灯させるための点灯回路１０２を内蔵する本体部１０３を有している。本体部１０３の側面には、蛍光ランプ１０１を保持するランプ保持手段１０４が径方向に設けられており、本体部１０３の天井に面する一面１０８には、雄型接続端を有する口金１０５が設けられている。また、本体部１０の一面１０８に対する裏面１０９には、雌型接続端１０６を有する受け金１０７が設けられている。
【０００４】
従って、複数個の照明器具１００の各本体部１０３が上下に重なるようにして口金１０５を受け金１０７の雌型接続端１０６に挿入し、その挿入方向に対して照明器具１００を相対的に所定角度回転させることにより、受け金１０７と口金１０５とが固定され、複数個の照明器具１００が一体的に接続される。
【特許文献１】特開２００８−１７１７２２号公報（第１図）
【発明の開示】
【発明が解決しようとする課題】
【０００５】
しかしながら、従来の照明器具１００においては、蛍光ランプ１０１を増設することができるものの、上下方向に重ねるため高さが高くなる。このため、照明器具の薄型化の要請に反するという問題があった。
【０００６】
本発明は、従来の問題を解決するためになされたもので、蛍光ランプを容易に増設することができ、かつ、器具全体の薄型化を図ることができる照明器具を提供することを目的とする。
【課題を解決するための手段】
【０００７】
本発明の照明器具は、蛍光ランプと、前記蛍光ランプを点灯させる点灯回路と、前記点灯回路を内蔵するとともに、被取付面に対向する取付面の反対側面に設けられて前記蛍光ランプを保持する保持手段と、前記取付面に設けられ雄型接続端子を有する口金部と、前記点灯回路を駆動する電源を外部に接続可能な端子部とを有する主本体部と、を有し、前記主本体部の側面に係止部を設けた構成を有している。
【０００８】
この構成により、被取付面に対向する主本体部の取付面には、雄型接続端子が設けられており、主本体部は雄型接続端子が係合する被取付面に取り付けられる。主本体部の取付面とは反対側の反対側面には保持手段が設けられており、この保持手段により保持される蛍光ランプは、主本体部に内蔵される点灯回路により点灯される。主本体部は、点灯回路を駆動する電源を外部に接続可能な端子部を有しており、端子部に接続することにより、主本体部を介して電源に接続可能となっている。そして、主本体部の側面には係止部が設けられているので、照明器具の薄型の状態を維持しつつ、主本体部の側面、すなわち外側に副本体部を増設することが可能になっている。
【０００９】
また、本発明の照明器具は、前記主本体部が、前記点灯回路の出力を制御可能なリモコン制御部および外部からのリモコン信号を受信するリモコン受信部を内蔵し、前記端子部が、前記リモコン信号を外部に送信可能である構成を有している。
【００１０】
この構成により、主本体部には、点灯回路の出力を制御可能なリモコン制御部および外部からのリモコン信号を受信するリモコン受信部が内蔵されているので、外部から主本体部の蛍光ランプの点灯を調整することができる。また、端子部は、リモコン信号を外部に送信可能なので、主本体部の外側に副本体部を増設した際に、副本体部の蛍光ランプをリモコンで制御することが可能となる。
【００１１】
また、本発明の照明器具は、前記端子部が前記係止部に設けられている構成を有している。
【００１２】
この構成により、端子部が係止部に設けられているので、主本体部の外側に副本体部を増設した際に、係止部により機械的に固定するとともに、端子部を介して電気的に接続することができる。これにより、主本体部から副本体部へ電力の供給およびリモコン信号の伝達が可能となる。
【００１３】
また、本発明の照明器具は、前記主本体部に外嵌される副本体部を有し、前記副本体部が、前記主本体部の前記係止部により前記主本体部と接続される被係止部と、前記副本体部における前記被取付面に対向する副取付面の反対側面に設けられて増設蛍光ランプを保持する副保持手段と、前記増設蛍光ランプを点灯させる副点灯回路と、を有する構成を有している。
【００１４】
この構成により、主本体部の係止部により副本体部の被係止部を係止することにより、主本体部の外側に副本体部が嵌められる。副本体部の取付面である副取付面の反対側面には副保持手段が設けられており、この副保持手段によって増設蛍光ランプが保持されている。増設蛍光ランプは、副本体部に内蔵されている副点灯回路によって点灯可能となっている。
【００１５】
また、本発明の照明器具は、前記副本体部の内径は、前記増設蛍光ランプの内径より小さいかまたは同一であり、かつ、前記主本体部の外径よりも大きく、前記副本体部の外径は、前記増設蛍光ランプの外径よりも大きいかまたは同一である構成を有している。
【００１６】
この構成により、副本体部の内径が、増設蛍光ランプの内径よりも小さいか同一なので、増設蛍光ランプは副本体部の内側には突出しない。また、副本体部の外径が、増設蛍光ランプの外径よりも大きいかまたは同一なので、増設蛍光ランプは副本体部の外側には突出しない。これにより、増設蛍光ランプが、内側にある主本体部の蛍光ランプや副本体部の増設蛍光ランプと緩衝したり、外側に突出して損傷するのを防止することができる。
【００１７】
さらに、本発明の照明器具は、前記副本体部は、内周面に前記被係止部を有するとともに外周面に前記係止部を有する構成を有している。
【００１８】
この構成により、副本体部の内周面に係止部に係止される被係止部を有するので、副本体部を主本体部の外側に取り付けることができる。また、副本体部の外周面に係止部を有するので、副本体部の外側にさらに副本体部を取り付けることができる。これにより、容易に蛍光ランプの増設を行うことができる。
【発明の効果】
【００１９】
本発明は、主本体部の側面には係止部が設けられているので、照明器具の薄型の状態を維持しつつ、主本体部の側面、すなわち外側に副本体部を増設することができるという効果を有する照明器具を提供することができるものである。
【発明を実施するための最良の形態】
【００２０】
以下、本発明の照明器具の実施例について、図面を用いて説明する。
（第１実施例）
図１（Ａ）は本発明にかかる照明器具の第１実施例の側面図、図１（Ｂ）は図１（Ａ）中Ｂ方向から見た下面図、図１（Ｃ）は図１（Ｂ）中Ｃ−Ｃ位置の断面図、図２（Ａ）は主本体部の側面図、図２（Ｂ）は図２（Ａ）中Ｂ方向から見た下面図、図２（Ｃ）は図２（Ｂ）中Ｃ−Ｃ位置の断面図、図３（Ａ）は図２（Ｂ）中III部分の斜視図、図３（Ｂ）は図３（Ａ）中Ｂ方向から見た上面図、図４（Ａ）は副本体部の側面図、図４（Ｂ）は図４（Ａ）中Ｂ方向から見た下面図、図４（Ｃ）は図４（Ｂ）中Ｃ−Ｃ位置の断面図、図５（Ａ）は図４（Ｂ）中Ｖ部分の斜視図、図５（Ｂ）は図５（Ａ）中Ｂ方向から見た上面図、図５（Ｃ）は図５（Ｂ）中Ｃ方向から見た側面図、図６（Ａ）は図４（Ｂ）中VI部分の斜視図、図６（Ｂ）は図６（Ａ）中Ｂ方向から見た上面図、図７（Ａ）は２個の副本体部を増設した照明器具の側面図、図７（Ｂ）は図７（Ａ）中Ｂ方向から見た下面図、図７（Ｃ）は図７（Ｂ）中Ｃ−Ｃ位置の断面図、図８は２個の副本体部を増設した照明器具の回路図である。
【００２１】
図１に示すように、本発明にかかる照明器具１０は、例えば被取付面としての天井１１に取り付けられている引掛シーリングボディ１２に取り付けて使用される。
照明器具１０は、中央部に主本体部２０を有し、主本体部２０の外側に１個または２個以上の副本体部３０を有している。
【００２２】
図２に示すように、主本体部２０は、内部空間を有する例えば円柱箱状を呈しており、天井１１に対向する取付面２０１には、雄型接続端子２３１を有する口金部２３が設けられている。
従って、天井１１の引掛シーリングボディ１２に設けられている受け金（図示省略）の雌型接続端子に、主本体部２０の雄型接続端子２３１を挿入して係止することにより、主本体部２０は天井１１に係止されるとともに、商用電源１３（図８参照）に接続されて電力の供給を受ける。
【００２３】
主本体部２０の取付面２０１に対する反対側面である照射面２０２には保持手段２２が設けられており、保持手段２２には光源である環状の蛍光ランプ２１が取り付けられる。保持手段２２としては、蛍光ランプ２１の発光管２１１を保持する複数（例えば２個）のランプ支持バネ２２１および蛍光ランプ２１のランプソケット２１２に設けられている給電ピン（図示省略）が嵌合されて保持すると同時に電気的に接続するキャッチソケット２２２を用いることができる。キャッチソケット２２２は後述する点灯回路２４に接続されている（図８参照）。
【００２４】
主本体部２０の内部空間には、蛍光ランプ２１を点灯制御する点灯回路２４、点灯回路２４の出力を制御するためのリモコン装置２５、点灯回路２４に電源を供給するインバータ電源２６が内蔵されている。
リモコン装置２５は点灯回路２４およびインバータ電源２６に接続されている（図８参照）。リモコン装置２５は、インバータ電源２６および点灯回路２４の出力を制御するリモコン制御部２５１と、外部からのリモコン信号を受信するリモコン受信部２５２を有しており、リモコン受信部２５２は照射面２０２から外部（ここでは下方）に露出している。
従って、リモコン受信部２５２が外部からのリモコン信号を受信すると、信号をリモコン制御部２５１に送り、リモコン制御部２５１がインバータ電源２６および点灯回路２４の出力を制御して、蛍光ランプ２１の光出力を調整する。
【００２５】
図１に示すように、主本体部２０の側面には、副本体部３０を係止するとともに電気的に接続する係止部２７が、主本体部２０の中心に対して点対称の位置に２個凹設されている。
図３に示すように、係止部２７は略矩形状に凹設されており、主本体部２０の中心側の奥壁２７１と、左右の側壁２７２、２７３を有している。
奥壁２７１には、照射面２０２から主本体部２０の厚さ方向中央付近まで、一対の端子挿入溝２７４、２７４が設けられており、各端子挿入溝２７４には端子部２７５が設けられている。端子部２７５は、インバータ電源２６およびリモコン制御部２５１に接続されている。例えば、端子挿入溝２７４の左側にはインバータ電源２６に接続される端子を設け、端子挿入溝２７４の右側にはリモコン制御部２５１に接続される端子を設けることができる。
側壁２７２、２７３には、副本体部３０を固定するための係止凹部２７６が各々設けられている。
【００２６】
図４に示すように、副本体部３０は主本体部２０に外嵌するリング状を呈している。副本体部３０の内径は、増設蛍光ランプ３１の内径より小さいかまたは同一であり、かつ、主本体部２０の外径よりも大きい。副本体部３０の外径は、増設蛍光ランプ３１の外径よりも大きいかまたは同一である。
【００２７】
副本体部３０における天井１１に対向する副取付面３０１に対する反対側面である副照射面３０２には、副保持手段３２が設けられており、副保持手段３２には増設する環状の増設蛍光ランプ３１が取り付けられる。副保持手段３２としては、主本体部２０における保持手段２２と同様に、ランプ支持バネ３２１およびキャッチソケット３２２を用いることができる。
【００２８】
副本体部３０の内部空間には、増設蛍光ランプ３１を点灯させる副点灯回路３３が内蔵されており、キャッチソケット３２２に接続されている（図８参照）。
【００２９】
副本体部３０の内周面３０４には、主本体部２０の係止部２７により係止される被係止部３４が、副本体部３０の中心に対して点対称の位置に２個凸設されている。また、被係止部３４に対応して外周面３０３には一対の係止部３５が凹設されている。
【００３０】
図５に示すように、被係止部３４は略矩形状に凸設されており、主本体部２０側の前壁３４１と、左右の側壁３４２、３４３を有している。
前壁３４１には一対の端子（端子部）３４４、３４４が凸設されており、各端子３４４は副点灯回路３３に接続されている（図８参照）。左右の側壁３４２、３４３には、副本体部３０を主本体部２０に固定するための固定突起３４５が設けられている。固定突起３４５は壁面３４２、３４３に出没可能に設けられており、常時、スプリング等の弾性部材（図示省略）により突出する方向に付勢されている。
【００３１】
図６に示すように、係止部３５は主本体部２０の係止部２７と同様の構成をしており、略矩形状に凹設されていて、中心側の奥壁３５１と、左右の側壁３５２、３５３を有している。
奥壁３５１には、一対の端子挿入溝３５４、３５４が設けられており、各端子挿入溝３５４には端子部３５５が設けられている。また、側壁３５２、３５３には、副本体部３０の外側にさらに増設される副本体部を固定するための係止凹部３５６が各々設けられている。
【００３２】
次に、主本体部２０の外側に副本体部３０を取付けて蛍光ランプ２０を増設する動作を説明する。
【００３３】
図１に示すように、主本体部２０の外周面２０３に設けられている係止部２７に、副本体部３０の内周面３０４に設けられている被係止部３４を位置決めして、副本体部３０を下側（照射面側）から主本体部２０に外嵌する。このとき、被係止部３４の固定突起３４５は被係止部３４の内部に押し込まれ、固定突起３４５が係止部２７の係止凹部２７６の位置に達すると、弾性部材の弾性力により固定突起３４５が突出して、係止凹部２７６の内部に嵌合する。これにより、副本体部３０は主本体部２０の外側に取付けられる。
【００３４】
同時に、被係止部３４の端子３４４が係止部２７の端子挿入溝２７４に挿嵌され、端子挿入溝２７４に取り付けられている端子部２７５に接触して、電気的に接続される（図８参照）。これにより、主本体部２０のインバータ電源２６およびリモコン制御部２５１が、副本体部３０の副点灯回路３３に接続されるので、リモコン信号に従って増設蛍光ランプ３１の光出力が調整される。
なお、副本体部３０の被係止部３４に対応して設けられている係止部３５は、被係止部３４と電気的に接続されており、主本体部２０から副本体部３０に送られてきた電力や信号をさらに外側に伝達できるようになっている。
【００３５】
図７には、主本体部２０の外側に増設された副本体部（以後、「第１副本体部」という。）３０の外側にさらに副本体部（以後、「第２副本体部」という。）４０を増設した場合が示されている。なお、第１副本体部３０と第２副本体部４０とにおいて共通する部位には同じ符号を付して、重複する説明を省略することとする。
【００３６】
図７に示すように、第２副本体部４０を増設する際には、第１副本体部３０の外周面３０３に設けられている係止部３５に、第２副本体部４０の内周面３０４に設けられている被係止部３４を位置決めして、第２副本体部４０を下側（照射面側）から第１副本体部３０に外嵌する。このとき、第２副本体部４０の固定突起３４５が第１副本体部３０の係止部３５の係止凹部３５６の位置に達すると、弾性部材の弾性力により第２副本体部４０の固定突起３４５が突出して、第１副本体部３０の係止凹部２７６の内部に嵌合する。これにより、第２副本体部４０は第１副本体部３０の外側に取付けられる。
同時に、第１副本体部３０の場合と同様に、第２副本体部４０は電気的に接続される（図８参照）。
【００３７】
以上、説明した本発明の照明器具１０にかかる実施例によれば、主本体部２０の外周面２０３に係止部２７が設けられているので、照明器具１０の薄型の状態を維持しつつ、主本体部２０の外側に副本体部３０、４０すなわち増設蛍光ランプ３１、４１を増設することができる。
【００３８】
また、主本体部２０には、点灯回路２４の出力を制御可能なリモコン装置２５が内蔵されているので、外部から主本体部２０の蛍光ランプ２１の点灯を調整することができる。また、リモコン装置２５は、端子部２７５、３４４、３５５を介して副本体部３０、４０に送信可能なので、主本体部２０の外側に副本体部３０、４０を増設した際に、副本体部３０、４０の増設蛍光ランプ３１、４１をリモコンで制御することができる。
【００３９】
また、端子部２７５、３４４、３５５が係止部２７、３５に設けられているので、主本体部２０の外側に副本体部３０、４０を増設した際に、係止部２７、３５により機械的に固定するとともに、端子部２７５、３４４、３５５を介して電気的に接続することができる。これにより、主本体部２０から副本体部３０、４０へ電力の供給およびリモコン信号の伝達が可能となる。
【００４０】
また、副本体部３０、４０の内径が、増設蛍光ランプ３１、４１の内径よりも小さいか同一なので、増設蛍光ランプ３１、４１は副本体部３０、４０の内側には突出しない。また、副本体部３０、４０の外径が、増設蛍光ランプ３１、４１の外径よりも大きいかまたは同一なので、増設蛍光ランプ３１、４１は副本体部３０、４０の外側には突出しない。これにより、増設蛍光ランプ３１、４１が、内側にある主本体部２０の蛍光ランプ２１や副本体部３０の増設蛍光ランプ３１と緩衝したり、外側に突出して損傷するのを防止することができる。
【００４１】
さらに、副本体部３０、４０は、内周面３０４に被係止部３４を有するとともに外周面３０３に係止部３５を有するので、副本体部３０、４０を主本体部２０の外側あるいは主本体部２０に取付けられている副本体部３０の外側に取り付けることができる。これにより、容易に増設蛍光ランプ３１、４１の増設を行うことができる。
【００４２】
（第２実施例）
図９（Ａ）は第２実施例にかかる照明器具の側面図、図９（Ｂ）は図９（Ａ）中Ｂ方向から見た下面図、図９（Ｃ）は図９（Ｂ）中Ｃ−Ｃ位置の断面図、図１０（Ａ）は２個の副本体部を増設した照明器具の側面図、図１０（Ｂ）は図１０（Ａ）中Ｂ方向から見た下面図、図１０（Ｃ）は図１０（Ｂ）中Ｃ−Ｃ位置の断面図、図１１は２個の副本体部を増設した照明器具の回路図である。なお、前述した第１実施例にかかる照明器具と共通する部位には同じ符号を付して、重複する説明を省略することとする。
【００４３】
図９〜図１１に示すように、第２実施例にかかる照明器具１０Ｂでは、主本体部２０Ｂにリモコン制御部２５１とリモコン受信部２５２を設けるとともに、副本体部３０Ｂ、４０Ｂにリモコン制御部３６を各々設けた。主本体部２０Ｂと副本体部３０Ｂ，４０Ｂとが固定されると、係止部２７、３５に設けられている端子部２７５、３５５および被係止部３４に設けられている端子部３４４が電気的に接続されるので、主本体部２０Ｂのリモコン受信部２５２が受信した信号は各リモコン制御部３６に送信される。
【００４４】
以上、説明した第２実施形態にかかる照明器具１０Ｂによれば、前述した第１実施例と同様の作用および効果を得ることができる。
また、副本体部３０Ｂ，４０Ｂに副リモコン制御部３６を設けたので、同一のリモコン信号に対して、主本体部２０Ｂおよび各副本体部３０Ｂ，４０Ｂが、異なる調整を行うことができる。例えば、主本体部２０Ｂでは連続調光を行い、副本体部３０Ｂ，４０Ｂでは段調光を行うことができる。
【００４５】
なお、図１２に示すように、第１副本体部３０Ｂにおいて増設蛍光ランプ３１が取付けられていない場合でも、電力およびリモコン信号は第２副本体部４０Ｂに伝達されるので（図１１参照）、第２副本体部４０Ｂの増設蛍光ランプ４１の点灯には差し支えない。
【００４６】
（第３実施例）
図１３（Ａ）は第３実施例にかかる主本体部の側面図、図１３（Ｂ）は図１３（Ａ）中Ｂ方向から見た下面図、図１３（Ｃ）は図１３（Ｂ）中Ｃ−Ｃ位置の断面図である。なお、前述した第１実施例および第２実施例にかかる照明器具と共通する部位には同じ符号を付して、重複する説明を省略することとする。
【００４７】
図１３に示すように、第３実施例にかかる照明器具１０Ｃでは、主本体部２０Ｃを、アダプタ５０を介して天井１１に取付けられている引掛シーリングボディ１２に取付けた。
アダプタ５０は、円盤状の本体５１と、本体５１の側面５１１から外側へ突出する複数個の凸部５２を出没可能に有する。凸部５２は、上部が水平な係止面５２１を有し、係止面５２１から下方へ傾斜面５２２を有する。凸部５２は、バネ部材等の弾性部材により常時突出方向へ付勢されている。本体５１の上面５１２には、雄型接続端子５３１を有する口金部５３が設けられている。
なお、凸部５２は口金部５３と電気的に接続されており、電力を主本体部２０Ｃに供給するための電源給電部（図示省略）を有する。
【００４８】
主本体部２０Ｃは、リング状を呈しており、内側にアダプタ５０が取付け可能となっている。主本体部２０Ｃの内周面２０４には、アダプタ５０の凸部５２に係止される係止凹部２８が、凸部５２に対応して複数個設けられている。係止凹部２８には、アダプタ５０の凸部５２に係止された状態で電気的に接続される給電端子（図示省略）が設けられており、アダプタ５０を介して商用電源１３と接続される。
【００４９】
主本体部２０Ｃの内部には、点灯回路２４およびリモコン装置２５が内蔵されており、係止凹部２８の給電端子（図示省略）は点灯回路２４に電気的に接続されている。
従って、照明器具１０Ｃを天井１１に取付ける際には、まずアダプタ５０の口金部５３を引掛シーリングボディ１２に取付ける。主本体部２０Ｃをアダプタ５０の位置に合わせて押し上げ、アダプタ５０の凸部５２により主本体部２０Ｃの係止凹部２８を係止する。これにより、主本体部２０Ｃは、機械的および電気的にアダプタ５０に接続される。
【００５０】
なお、取付けの前に、予めアダプタ５０と主本体部２０Ｃを一体的に取付けておいて、アダプタ５０の口金部５３を引掛シーリングボディ１２に取付けることもできる。
また、主本体部２０Ｃの外側に副本体部３０を取付けるのは、前述したとおりである。
【００５１】
以上、説明した第３実施形態にかかる照明器具１０Ｃによれば、前述した第１実施例と同様の作用および効果を得ることができる。
また、従来より用いられているアダプタ（給電装置）を用いて、照明器具１０Ｃを取付けることができる。
【００５２】
（第４実施例）
図１４（Ａ）は第４実施例にかかる照明器具の側面図、図１４（Ｂ）は図１４（Ａ）中Ｂ方向から見た下面図、図１４（Ｃ）は図１４（Ｂ）中Ｃ−Ｃ位置の断面図、図１５（Ａ）は第４実施例の変形例にかかる照明器具の側面図、図１５（Ｂ）は図１５（Ａ）中Ｂ方向から見た下面図、図１５（Ｃ）は図１５（Ｂ）中Ｃ−Ｃ位置の断面図である。なお、前述した第１実施例〜第３実施例にかかる照明器具と共通する部位には同じ符号を付して、重複する説明を省略することとする。
【００５３】
図１４に示すように、第４実施例にかかる照明器具１０Ｄでは、主本体部２０および副本体部３０を覆ってランプ光を拡散させるセード６０を設けた。セード６０は、白色や乳白色等の半透明の樹脂製である。
【００５４】
セード６０は、主本体部２０の蛍光ランプ２１を覆う主本体部用セード６１および副本体部３０の増設蛍光ランプ３１を覆う副本体部用セード６２を有する。主本体部用セード６１および副本体部用セード６２は、各々蛍光ランプ２１および増設蛍光ランプ３１のみを覆うものであり、リング状を呈している。各セード６１、６２の内側には、蛍光ランプ２１、３１を保持する保持バネ６３が設けられており、保持バネ６３を蛍光ランプ２１、３１に取付けることによりセード６１、６２を取付ける。
【００５５】
以上、説明した第４実施形態にかかる照明器具１０Ｄによれば、まぶしさの軽減、蛍光ランプ２１，３１の外部衝撃からの保護を図ることができる。また、各セード６１、６２の色を変えることにより、異なる感じの照明光を得ることができる。
【００５６】
図１５に示す照明器具１０Ｄでは、主本体部２０および副本体部３０を全体的に覆う円板状のセード６４が用いられている。このセード６４の上面には複数個の保持バネ６３が設けられており、蛍光ランプ（ここでは増設蛍光ランプ３１のみ）を保持することにより取付けられる。
【００５７】
このようなセード６４を用いることにより、まぶしさの軽減、蛍光ランプ２１，３１の外部衝撃からの保護を図ることができる。
【００５８】
なお、本発明の照明器具は、前述した各実施例に限定されるものでなく、適宜な変形，改良等が可能である。
例えば、前述した各実施例においては、雄型接続端子２３１を有する口金部２３を用いて天井１１に取付けた場合を例示したが、天井取付用金具を用いて取付けることも可能である。
【図面の簡単な説明】
【００５９】
【図１】（Ａ）は本発明にかかる照明器具の第１実施例の側面図、（Ｂ）は（Ａ）中Ｂ方向から見た下面図、（Ｃ）は（Ｂ）中Ｃ−Ｃ位置の断面図
【図２】（Ａ）は主本体部の側面図、（Ｂ）は（Ａ）中Ｂ方向から見た下面図、（Ｃ）は（Ｂ）中Ｃ−Ｃ位置の断面図
【図３】（Ａ）は図２（Ｂ）中III部分の斜視図、（Ｂ）は図３（Ａ）中Ｂ方向から見た上面図
【図４】（Ａ）は副本体部の側面図、（Ｂ）は（Ａ）中Ｂ方向から見た下面図、（Ｃ）は（Ｂ）中Ｃ−Ｃ位置の断面図
【図５】（Ａ）は図４（Ｂ）中Ｖ部分の斜視図、（Ｂ）は図５（Ａ）中Ｂ方向から見た上面図、図５（Ｃ）は図５（Ｂ）中Ｃ方向から見た側面図
【図６】（Ａ）は図４（Ｂ）中VI部分の斜視図、（Ｂ）は図６（Ａ）中Ｂ方向から見た上面図
【図７】（Ａ）は２個の副本体部を増設した照明器具の側面図、（Ｂ）は（Ａ）中Ｂ方向から見た下面図、（Ｃ）は（Ｂ）中Ｃ−Ｃ位置の断面図
【図８】２個の副本体部を増設した照明器具の回路図
【図９】（Ａ）は第２実施例にかかる照明器具の側面図、（Ｂ）は（Ａ）中Ｂ方向から見た下面図、（Ｃ）は（Ｂ）中Ｃ−Ｃ位置の断面図
【図１０】（Ａ）は２個の副本体部を増設した照明器具の側面図、（Ｂ）は（Ａ）中Ｂ方向から見た下面図、（Ｃ）は（Ｂ）中Ｃ−Ｃ位置の断面図
【図１１】２個の副本体部を増設した照明器具の回路図
【図１２】第１副本体部において増設蛍光ランプが取付けられていない状態を示し、（Ａ）は側面図、（Ｂ）は（Ａ）中Ｂ方向から見た下面図、（Ｃ）は（Ｂ）中Ｃ−Ｃ位置の断面図
【図１３】（Ａ）は第３実施例にかかる主本体部の側面図、（Ｂ）は（Ａ）中Ｂ方向から見た下面図、（Ｃ）は（Ｂ）中Ｃ−Ｃ位置の断面図
【図１４】（Ａ）は第４実施例にかかる照明器具の側面図、（Ｂ）は（Ａ）中Ｂ方向から見た下面図、（Ｃ）は（Ｂ）中Ｃ−Ｃ位置の断面図
【図１５】（Ａ）は第４実施例の変形例にかかる照明器具の側面図、（Ｂ）は（Ａ）中Ｂ方向から見た下面図、（Ｃ）は（Ｂ）中Ｃ−Ｃ位置の断面図
【図１６】（Ａ）は従来の照明器具の側面図、（Ｂ）は（Ａ）中Ｂ方向から見た下面図
【符号の説明】
【００６０】
１０  照明器具
１１  天井（被取付面）
２０  主本体部
２０１  取付面
２０２  照射面（反対側面）
２０３  外周面（側面）
２１  蛍光ランプ
２２  保持手段
２３  口金部
２３１  雄型接続端子
２４  点灯回路
２５１  リモコン制御部
２５２  リモコン受信部
２７  係止部
２７５  端子部
３０  副本体部
３０１  副取付面
３０２  副照射面（反対側面）
３０３  外周面
３０４  内周面
３１  増設蛍光ランプ
３２  副保持手段
３３  副点灯回路
３４  被係止部
【図１】
2010140659.tif 000003
【図２】
2010140659.tif 000004
【図３】
2010140659.tif 000005
【図４】
2010140659.tif 000006
【図５】
2010140659.tif 000007
【図６】
2010140659.tif 000008
【図７】
2010140659.tif 000009
【図８】
2010140659.tif 000010
【図９】
2010140659.tif 000011
【図１０】
2010140659.tif 000012
【図１１】
2010140659.tif 000013
【図１２】
2010140659.tif 000014
【図１３】
2010140659.tif 000015
【図１４】
2010140659.tif 000016
【図１５】
2010140659.tif 000017
【図１６】
2010140659.tif 000018